(57)【要約】      （修正有）【課題】レインコートとして使用できるレインコート兼用レジャーシートを提供する。【解決手段】レジャーシートを構成する防水性の可撓性シート１の基準コーナ部２を通過する中心線Ｘの近傍部に後見頃部３を形成し、該後見頃部の両側部に前見頃部４ａ，４ｂを形成し、前記基準コーナ部２にフードシート５を重ね合わせることにより、後見頃部に向けて開口されたフード空間６を形成する。一方の前見頃部４ａの表側に設けたフラットベルト８を格納位置Ｐ１と使用位置Ｐ２の間で回動するように枢結し、格納位置Ｐ１に回動したときフード空間６に格納できるように構成している。【選択図】図１
0003170044.tif 000002
【実用新案登録請求の範囲】
【請求項１】
レジャーシートを構成する防水性の可撓性シートから成り、該シート(1)の基準コーナ部(2)を通過する中心線(X)の近傍部により前記基準コーナ部に臨む後見頃部(3)を形成し、該後見頃部の両側部により前見頃部(4a,4b)を形成しており、
前記シート(1)の表側(F)において前記基準コーナ部(2)にフードシート(5)を重ね合わせ、該フードシートの両側縁(5a,5a)を前記基準コーナ部のコーナ縁(2a,2a)に固着すると共に、該フードシートの前記後見頃部に臨む正面縁(2b)を開放することにより、該フードシートと基準コーナ部の間に後見頃部に向けて開口されたフード空間(6)を形成して成ることを特徴とするレインコート兼用レジャーシート。
【請求項２】
前記基準コーナ部(2)の一方のコーナ縁の延長位置に近傍して前記前見頃部(4a)の表側(F)にフラットベルト(8)を設けており、
前記フラットベルト(8)は、基端部を前見頃部(4a)に回動自在に枢結されると共に、少なくとも先端部に面ファスナー(10)を備え、先端部を前記フード空間(6)に挿入する格納位置(P1)と、該先端部を前記前見頃部(4a)の外部に突出させる使用位置(P2)との間で回動するように構成され、
前記基準コーナ部(2)の他方のコーナ縁の延長位置に近傍して前記前見頃部(4b)の裏側(B)に被着用面ファスナー(11)を設けて成ることを特徴とする請求項１に記載のレインコート兼用レジャーシート。
【請求項３】
前記フードシート(5)は、正面縁(2b)を後見頃部(3)に向けて膨出する円弧状に形成して成ることを特徴とする請求項１又は２に記載のレインコート兼用レジャーシート。
【請求項４】
前記フードシート(5)は、透明又は半透明の合成樹脂シートにより形成されて成ることを特徴とする請求項１、２又は３に記載のレインコート兼用レジャーシート。
【考案の詳細な説明】
【技術分野】
【０００１】
本考案は、雨天時にレインコートとして使用可能であるが、常時は、通常のレジャーシートと変わりなく好適に使用できるレインコート兼用レジャーシートに関する。
【背景技術】
【０００２】
ピクニックや、海水浴、その他、屋外等において、地面や床面に敷設することにより使用されるレジャーシートが公知である。
【０００３】
このようなレジャーシートは、防水性の可撓性シートから成り、折畳み自在かつ展開自在に構成されており、従来、多機能を具備させるため、例えば、枕付きのレジャーシート等が提案されている。
【先行技術文献】
【特許文献】
【０００４】
【特許文献１】特開２００３−１４４２９９号公報
【特許文献２】特開２００３−２９００７号公報
【考案の概要】
【考案が解決しようとする課題】
【０００５】
レジャーシートに多機能を具備させる目的からすると、防水性を有する可撓性シートの利点を生かし、屋外でのレジャーに際して、天候の変化による雨天に対応可能なレインコートを兼用できるように構成するのが良い。
【０００６】
しかしながら、枕付きのレジャーシート等に見られるように、多機能を具備させる結果、本来のレジャーシートとしての使用を妨げることは好ましくない。
【０００７】
本考案は、雨天時にレインコートとして使用可能であるが、常時は、通常のレジャーシートと変わりなく好適に使用できるレインコート兼用レジャーシートの提供を課題とする。
【課題を解決するための手段】
【０００８】
そこで、本考案が前記課題を解決するための手段として構成したところは、レジャーシートを構成する防水性の可撓性シートから成り、該シートの基準コーナ部を通過する中心線の近傍部により前記基準コーナ部に臨む後見頃部を形成し、該後見頃部の両側部により前見頃部を形成しており、シートの表側において前記基準コーナ部にフードシートを重ね合わせ、該フードシートの両側縁を前記基準コーナ部のコーナ縁に固着すると共に、該フードシートの前記後見頃部に臨む正面縁を開放することにより、該フードシートと基準コーナ部の間に後見頃部に向けて開口されたフード空間を形成して成る点にある。
【０００９】
本考案の好ましい実施形態は、前記基準コーナ部の一方のコーナ縁の延長位置に近傍して前記前見頃部の表側にフラットベルトを設けており、前記フラットベルトは、基端部を前見頃部に回動自在に枢結されると共に、少なくとも先端部に面ファスナーを備え、先端部を前記フード空間に挿入する格納位置と、該先端部を前記前見頃部の外部に突出させる使用位置との間で回動するように構成され、前記基準コーナ部の他方のコーナ縁の延長位置に近傍して前記前見頃部の裏側に被着用面ファスナーを設けている。
【００１０】
前記フードシートは、正面縁を後見頃部に向けて膨出する円弧状に形成することが好ましく、更に、透明又は半透明の合成樹脂シートにより形成することが好ましい。
【考案の効果】
【００１１】
本考案によれば、防水性のシート１を地面や床面に敷設することにより、レジャーシートとして好適に使用することができる。この際、フードシート５は、シート１に重ね合わせられ、シート１の全体として薄いシート形態を供しているので、レジャーシートの本来の使用方法を何ら妨げることはない。そこで、天候の変化等による降雨に遭遇したときは、フード空間６に着用者の頭部を挿入することにより、防水性かつ可撓性のシート１を簡単容易にレインコートとして使用することができる。
【００１２】
この際、着用者の前面に折返した前見頃部４ａ、４ｂは、フラットベルト８の面ファスナー１０を被着用面ファスナー１１に係着することにより、確実に連結されるので、風雨による前見頃部４ａ、４ｂの捲り上がり等を好適に防止することができる。
【００１３】
特に、フラットベルト８は、格納位置Ｐ１と使用位置Ｐ２の間で回動自在となるように枢結されており、シート１をレジャーシートとして使用するときは格納位置Ｐ１に回動することによりフード空間６に格納できるという利点がある。
【００１４】
ところで、シート１をレインコートとして使用するとき、前見頃部４ａ、４ｂの折返しと共に基準コーナ部２の両側縁２ａ、２ａが相互に距離を縮め、フードシート５を弛ませるので、正面縁２ｂを顔面の上方に捲り上げることが可能となる。この点に関し、本考案によれば、正面縁２ｂを円弧状に膨出形成しているので、前記の弛みが大きく形成され、捲り上げを更に容易にする。
【００１５】
そして、フードシート５を透明又は半透明に形成しているので、着用者の視界が良好であり、歩行の安全に寄与する。
【図面の簡単な説明】
【００１６】
【図１】本考案の１実施形態に係るレインコート兼用レジャーシートを示す平面図である。
【図２】図１（Ａ）のＡ−Ａ線拡大断面図である。
【図３】本考案のレジャーシートをレインコートとして使用した例を示す正面図である。
【考案を実施するための形態】
【００１７】
以下図面に基づいて本考案の好ましい実施形態を詳述する。図１に示すように、レインコート兼用レジャーシートは、防水性を有する可撓性のシート１から成り、全体形状を矩形状、好ましくは正方形に形成され、特定の１つのコーナ部により基準コーナ部２が設定され、該基準コーナ部２を通過する中心線Ｘを基準として左右に線対称となるように構成するのが好ましい。尚、シート１の素材等は、公知のレジャーシートと同様であるから、説明を省略する。
【００１８】
前記シート１は、中心線Ｘの近傍領域Ｗ１により前記基準コーナ部２に臨む後見頃部３を形成し、該後見頃部３の左右両側領域Ｗ２、Ｗ２により前見頃部４ａ、４ｂを形成している。尚、図１は、シート１の表側を示しているが、図２に、シート１の表側を符号Ｆにより示し、裏側を符号Ｂにより示している。
【００１９】
前記シート１の表側Ｆに位置して、前記基準コーナ部２にはフードシート５が重ね合わせられ、該フードシート５の両側縁５ａ、５ａを基準コーナ部２の両側縁２ａ、２ａに逢着等により固着している。
【００２０】
フードシート５の後見頃部３に臨む正面縁２ｂは、シート１に固着されず開放されており、これにより、該フードシート５と基準コーナ部２の間にフード空間６を形成し、該フード空間６は、後見頃部３に臨んで開口部７を形成する。
【００２１】
前記フードシート５は、透明又は半透明の合成樹脂シートにより形成することが好ましく、前記正面縁２ｂは、後見頃部３に向けて膨出する円弧状に形成されていることが好ましい。
【００２２】
前記一方の前見頃部４ａに臨む基準コーナ部２の一方のコーナ縁２ａ延長位置の近傍には、表側Ｆから該前見頃部４ａの当該部位にフラットベルト８が設けられている。
【００２３】
図２に示すように、前記フラットベルト８は、基端部を前見頃部４ａに合成樹脂製リベット等の軸部材９により回動自在に枢結され、少なくとも先端部の裏面に面ファスナー１０を備えている。
【００２４】
従って、フラットベルト８は、図１に矢印Ｒで示すように、実線で示した先端部を前記フード空間６に挿入した格納位置Ｐ１と、鎖線で示した先端部を前見頃部４ａの縁部から外部に突出させた使用位置Ｐ２との間で回動するように構成されている。
【００２５】
前記面ファスナー１０に対応して、他方の前見頃部４ｂの裏側Ｂには、前記基準コーナ部２の他方のコーナ縁２ａの延長位置に近傍して被着用面ファスナー１１が設けられている。
【００２６】
シート１は、折畳み時や、レジャーシートとしての使用時には、図１及び図２に示すように、フラットベルト８を格納位置Ｐ１に回動し、フード空間６に格納している。この際、フードシート５は、シート１の基準コーナ部２に重ね合わせられ、前記フラットベルト８を保持する。従って、フラットベルト８を含むフードシート５は、隆起することなくシート１の表側Ｆに重ね合わせられ、シート１の全体として薄いシート形態を供するので、地面や床面に敷設することによりレジャーシートとして好適に使用することができ、レジャーシートの本来の使用方法を何ら妨げることはない。
【００２７】
そこで、屋外でのレジャーに際して、天候の変化等による降雨に遭遇したとき、シート１を簡単にレインコートとして使用することができる。
【００２８】
図３に示すように、シート１の表側Ｆを人体に接するようにして、人体の背部に後見頃部３を沿わせた状態で、フードシート５により形成されたフード空間６に頭部を挿入した後、前見頃部４ａ、４ｂを人体の前面に向けて折返し、フラットベルト８を使用位置Ｐ２に回動して、面ファスナー１０を被着用面ファスナー１１に係着すれば良い。
【００２９】
このようにして、防水性の可撓性シートから成るシート１により、簡単にレインコートを形成することができる。この際、シート１の裏側Ｂを土砂等の地面に敷設した状態から、急遽レインコートを形成する場合でも、人体に接するシート１の表側Ｆには土砂等の汚れが付着していないので、人体を汚損するおそれはない。
【００３０】
人体を包み込むように後見頃部３から前見頃部４ａ、４ｂを折返したとき、基準コーナ部２の両側縁２ａ、２ａが相互に距離を縮めることにより、フードシート５が余裕を与えられて弛むので、図示のように、正面縁２ｂを顔面の上方に捲り上げることができ、これにより呼吸によるフードシート５の曇りを防止する。この点に関して、図示実施形態の場合、正面縁２ｂが膨出する円弧状に形成されているので、前記のような余裕を大きく形成することが可能となり、捲り上げを更に容易にする。
【００３１】
そして、フードシート５を透明又は半透明に形成することにより、着用者の視界を良好とする。
【００３２】
尚、レインコートの使用を終えたときは、前記面ファスナー１０と被着用面ファスナー１１の係着を解き、図１に示す元のシート形態に戻せば良い。
【符号の説明】
【００３３】
１  シート
２  基準コーナ部
２ａ  両側縁
２ｂ  正面縁
３  後見頃部
４ａ、４ｂ  前見頃部
５  フードシート
６  フード空間
７  開口部
８  フラットベルト
９  軸部材
１０  面ファスナー
１１  被着用面ファスナー
【図１】
0003170044.tif 000003
【図２】
0003170044.tif 000004
【図３】
0003170044.tif 000005